(57)【要約】【課題】位置管理装置、個別業務処理装置、位置管理業務処理方法、及び位置管理業務処理システムに関し、各顧客の固有の業務処理（アプリケーション処理）をセキュリティの問題が無く、コストを安く実現する。【解決手段】収集した端末の位置情報を該端末が属する顧客別に管理し、該端末の位置情報を該端末が属する顧客のみに、共通の通信アプリケーションで通知し、この通知で入力した、自分が管理する該顧客の移動端末のみの位置情報に基づき、該顧客固有の処理を行う。【選択図】      図１
2004326182.tif 000002
【特許請求の範囲】
【請求項１】
各端末の位置情報を収集する端末通信部と、
該端末が属する顧客別に該位置情報を管理する位置管理部と、
該端末の位置情報を該端末が属する顧客のみに通知する顧客別通信部と、
を備えたことを特徴とする位置管理装置。
【請求項２】
請求項１において、
該顧客別通信部は、共通の通信アプリケーションに従って各顧客に通知することを特徴とした位置管理装置。
【請求項３】
端末が属する顧客別に設けられた個別業務処理装置であって、
自装置が管理する該顧客の端末の位置情報を所定の通信アプリケーションに基づき入力する共通インタフェース部と、
該共通インタフェース部を経由して該位置情報を受信し、この位置情報に基づき、該顧客固有の処理を行う個別アプリケーション処理部と、
を備えたことを特徴とする個別業務処理装置。
【請求項４】
各端末の位置情報を収集する第１のステップと、
該端末が属する顧客別に該位置情報を管理する第２のステップと、
該端末の位置情報を該端末が属する顧客のみに通知する第３のステップと、
該通知で、自分が管理する該顧客の端末のみの位置情報を入力する第４のステップと、
該第４のステップで獲得した該位置情報に基づき、該顧客固有の処理を行う第５のステップと、
を有することを特徴とした位置管理業務処理方法。
【請求項５】
各端末の位置情報を収集する端末通信部、該端末が属する顧客別に該位置情報を管理する位置管理部、及び該端末の位置情報を該端末が属する顧客のみに通知する顧客別通信部を備えた位置管理装置と、
自分が管理する該顧客の端末の該位置情報を入力する共通インタフェース部、及び該共通インタフェース部を経由して該位置情報を受信し、この位置情報に基づき、該顧客固有の処理を行う個別アプリケーション処理部を備え、該端末が属する顧客別に設けられた個別業務処理装置と、
を備えたことを特徴とする位置管理業務処理システム。
【発明の詳細な説明】
【０００１】
【発明の属する技術分野】
本発明は位置管理装置、個別業務処理装置、位置管理業務処理方法、及び位置管理業務処理システムに関し、特に端末の位置情報に基づき、該端末の属するグループ（顧客）に対応したアプリケーション処理を行う位置管理装置、個別業務処理装置、位置管理業務処理方法、及び位置管理業務処理システムに関するものである。
【０００２】
近年、通信技術、端末等の位置を検出する技術、及び地理情報システムは急速に進歩している。これらの技術を応用した、例えば、運送車の運行管理及び保安管理、及び宅配等における位置管理は、ますます重要になって来ている。
【０００３】
【従来の技術】
図１４は、従来の位置管理センタ（位置管理装置＋個別業務処理装置）２００＿１〜２００＿３（以下、符号２００で総称することがある。）を示している。この位置管理センタ２００＿１〜２００＿３は、それぞれ、顧客別に対応しており、位置管理機能部１５ｚ＿１〜１５ｚ＿３（以下、符号１５ｚで総称することがある。）及び顧客業務処理部３１ｚ＿１〜３１ｚ＿３（以下、符号３１ｚで総称することがある。）で構成されている。
【０００４】
顧客別移動端末群２０ｚ＿１〜２０ｚ＿３は、それぞれ、同一のグループ、例えば顧客に属する端末で構成されている。各端末は、ＧＰＳ（Ｇｌｏｂａｌ  Ｐｏｓｉｔｉｏｎｉｎｇ  Ｓｙｓｔｅｍ）付き携帯端末又は移動端末等である。
各端末の位置情報及び属性情報は、キャリアや専用無線を経由し位置管理センタ２００の位置管理機能部１５ｚに与えられ、顧客業務処理部３１ｚは、位置管理機能部１５ｚを経由して受信した位置情報及び属性情報に基づき顧客固有の業務処理を行う。業務処理結果は、移動端末に返送されるか、又は各事務所等の端末（パソコン）で参照できる。
【０００５】
位置管理センタ２００の具体的な例として、消防システムがある。この消防システムは、ＧＰＳ移動端末／携帯端末としてナビゲーション装置が、車両に搭載され、その位置情報が位置管理センタ２００に定期的に送信されている。
火災等の緊急事態が発生したとき、当該火災地点に最も近い車両が選択され、その車両に対し出動指令が送出され、ナビゲーション装置に指令文書が表示される。また、各消防署や消防出張所の端末にも同じ指令書がパソコン上に表示される。
【０００６】
消防システムにおける属性情報例として、車両が移動する際の状況を示す動態情報（例えば、出動、現地到着、及び作業完了等）がある。移動端末はボタン装置を備え、各ボタンには、それぞれ、出動、現地到着、及び作業完了等が意味付けられている。ボタンを押下することにより位置管理センタ２００に動態情報が送出される。位置管理センタ２００は、動態情報と位置情報に基づき、各車両が実施している作業内容を知ることができる。
【０００７】
図１５は、位置管理センタ２００、及びその周辺の装置をより詳細に示している。移動端末２１ｚ＿１〜２１ｚ＿ｉ（以下符号２１ｚで総称することがある。）は、同一の顧客別移動端末群２０ｚに属し、各移動端末２１ｚは、それぞれ、ＧＰＳを搭載し位置情報９１ｚ＿１〜９１ｚ＿ｉ（以下符号９１ｚで総称することがある。）及び属性情報９２ｚ＿１〜９２ｚ＿ｉ（以下符号９２ｚで総称することがある。）を持っている。
【０００８】
移動端末２１ｚとして、例えば、携帯電話、ＧＰＳ搭載パソコン、ＧＰＳ搭載ＰＤＡ、及びナビゲーション装置等がある。
位置情報９１ｚ及び属性情報９２ｚは、例えば、無線通信網及び固定通信網で構成された、インターネット５０又は専用回線５１を経由して、位置管理センタ２００に送信され、位置情報ファイル１９ｚに格納される。
【０００９】
位置管理センタ２００は、通常、顧客の本社又は事務所等に設置されている。
位置管理センタ２００は、地図情報ファイル１１ｚを持っており、位置管理部及びそれを利用する業務処理部で構成された位置管理・業務処理機能部１０ｚは、位置情報ファイル１９ｚ及び地図情報ファイル１１ｚに基づき、自社（又は自事務所）固有の業務処理を行う。
【００１０】
そして、位置管理センタ２００は、業務処理結果（サービス）９３をインターネット５０又は専用回線５１を経由して移動端末２１ｚ又は顧客事務所３０ｚの端末（例えばパーソナルコンピュータ）３５に送信する。
このような位置管理センタ２００には、以下の課題がある。
【００１１】
すなわち、位置管理センタ２００を各利用顧客毎に設置し業務アプリケーション含めて位置管理センタ２００で運用する必要がある。このため、各位置管理センタ２００毎に位置管理機能部（位置管理装置）１５ｚ及び顧客業務処理部（個別業務処理装置）３１ｚを設ける必要がある。
【００１２】
また、携帯端末からメールなどでパソコン等の管理端末にメールを送信し、この管理端末で位置管理機能を実現し、その上で業務アプリケーションを実現するものもあるが、同様に、管理端末に位置管理機能部と業務アプリケーション（顧客業務処理部）を装備する必要がある。
【００１３】
これを解決するため、位置管理機能部の代わりに、インターネットにより位置情報等を提供するサービスを利用する方式も考えられるが、サービスは固定化し、各顧客に対応していない。また、位置情報のみ提供するサービスもあるが、業務アプリケーションは顧客別にカスタマイズする必要がある。
【００１４】
また、交通機関の運行情報システムには、管理センタ（位置管理センタ）と、１以上の交通機関（移動端末）と、例えば停留所等に配置される、１つ以上の顧客用情報媒体（顧客事務所の端末に相当する。）を備えたものがある（例えば、特許文献１参照）。
【００１５】
すなわち、管理センタは、無線により各交通機関の運行情報（位置情報、及び交通機関運営会社名等が含まれている。）を収集すると共に、該運用情報に基づいてデータ読出信号を生成して、この信号を各顧客用情報媒体に送信する。
該顧客用情報媒体は各データ読出信号に基づいて顧客用情報媒体で必要とするデータをデータ記憶手段から読み出して、交通運行情報に変換して顧客に提供する。
【００１６】
しかし、この運行情報システムは、交通機関の運用情報に基づいて、複数の交通機関運営会社の交通機関に関する共通の業務処理を行うことが可能であるが、各交通機関運営会社固有の業務処理を行うものではない。
【００１７】
【特許文献１】
特開２００１−２２２７９５号公報（第１頁、図１）
【００１８】
【発明が解決しようとする課題】
以上に示したように、ＧＰＳ等を用いた位置管理サービスでは、位置管理センタの設備費用が高額になる。このため、位置管理ニーズを持つ業界は多いが位置管理センタの設置を断念するケースが多い。
【００１９】
また、単純な位置管理やサービスを限定した位置管理サーズビスはあるが、その機能は固定化されている。従って各業種や各企業に個別にカスタマイズされた機能の提供はできなかった。
また、位置管理を用いたサービスを実施する際に蓄積される各種の情報（顧客情報等）は、セキュリティの問題や企業資産の観点からも個々の企業内に蓄積したいが、位置管理センタに蓄積されてしまう。
【００２０】
すなわち、従来の技術においては、次の課題（１）〜（３）がある。
（１）位置管理センタによる集中管理の場合、コストアップの問題がある。
（２）インターネットで集中的にサービス提供する場合、固定的な機能提供となり、かつ業務機能を実現するには顧客情報等を位置管理センタに持つ必要がありセキュリィティの問題がある。
【００２１】
（３）位置情報のみ提供するサービスでは個別業務への対応ができない。
従って本発明は、端末の位置情報に基づき、該端末の属する顧客に対応した業務処理を行う位置管理装置、個別業務処理装置、位置管理業務処理方法、及び位置管理業務処理システムにおいて、各顧客の固有の業務処理（アプリケーション処理）をセキュリティの問題が無く、コストを安く実現することを課題とする。
【００２２】
【課題を解決するための手段】
上記の課題を解決するため、本発明に係る位置管理装置は、各端末の位置情報を収集する端末通信部と、該端末が属する顧客別に該位置情報を管理する位置管理部と、該端末の位置情報を該端末が属する顧客のみに通知する顧客別通信部とを備えたことを特徴としている。
【００２３】
図１は、本発明の原理を示しており、図１（１）に示した従来の位置管理センタ２００（図１４参照）に対応付けて、同図（２）全体で本発明の位置管理業務処理システム１００を示している。この位置管理業務処理システム１００は、位置管理装置１０、複数の個別業務処理装置３１ａ〜３１ｃ（以下、符号３１で総称することがある。）、及び顧客別移動端末群２０ａ〜２０ｃ（以下、符号２０で総称することがある。）を備えている。
【００２４】
本発明は、位置管理装置１０に関するものであり、各端末は、複数の顧客の内の１つに、すなわち、顧客別移動端末群２０の中のいずれか１つに属している。
この位置管理装置１０の端末通信部は、各端末の位置情報を収集する。位置管理部は、端末通信部が収集した端末の位置情報をその端末が属する顧客別に管理する。そして、顧客別通信部は、端末の位置情報をその端末が属している顧客のみに通知する。
【００２５】
このように、図１（１）に示した従来の位置管理センタ２００＿１〜２００＿３にそれぞれ分散していた、設備設置費用や工事に絡む位置管理機能部１５ｚ＿１〜１５ｚ＿３を１つの位置管理装置１０に統合して、例えば、ＩＤＣ（Ｉｎｔｅｒｎｅｔ  Ｄａｔａ  Ｃｅｎｔｅｒ）等に設置して共有化することで低価格化が図られるとともに、この位置管理装置１０が、各顧客の端末の位置情報を、顧客別に管理することにより、顧客毎のセキュリティを保つことが可能になる。
【００２６】
なお、顧客は、必ずしも、個人又は個々の法人を意味する必要はなく、端末を特定のグループに分類して、位置管理部は、グループ別に位置情報を管理し、顧客別通信部は端末の属するグループのみにその位置情報を通知すればよい。
また、上記の本発明において、該顧客別通信部は、共通の通信アプリケーションに従って各顧客に通知することができる。
【００２７】
これにより、各顧客は、共通の通信アプリケーションに対応した各顧客に対応した個別アプリケーション（個別業務処理）を開発すればよい。
また、上記の本発明において、地図情報を管理する地図情報管理部をさらに備え、該位置管理部は、該位置情報及び地図情報に基づいて加工した位置情報を管理することができる。
【００２８】
すなわち、位置管理部は、例えば、地図情報上に位置情報に基づいて端末位置を示す地図情報（位置情報）を顧客別に加工することができ、この地図情報を顧客別に通知する。
このように、地図情報（地図コンテンツ）を位置管理装置１０において共有することで価格を抑えることが可能になるとともに、位置管理装置が、例えば、顧客別に地図上の端末位置を管理することが可能になり、顧客側で管理する必要が無くなる。
【００２９】
また、上記の本発明において、地図情報を管理する地図情報管理部をさらに備え、該顧客別通信部は、該顧客に該地図情報を通知することができる。これにより、顧客側で、例えば、端末の地図上の位置を示すことが可能になる。
また、上記の本発明において、該位置情報に、該端末の識別子及び時刻情報をふくめることができる。
【００３０】
すなわち、端末の位置情報として、該端末の識別子及び該端末が位置情報で示される位置に存在したときの時刻を含めることができる。これにより、例えば、端末を、その識別子に基づき顧客別に管理したり、端末の位置を時系列に知ることが可能になる。
【００３１】
また、上記の本発明において、該位置情報に、さらに該端末の属性情報が含ませることができる。これにより、端末通信部は、各端末の属性、例えば、動態情報（出動、現地到着、及び作業完了等）を収集し、位置管理部は、該属性を顧客別に管理し、顧客別通信部は、各顧客に、該顧客に属する端末の属性をさらに通知することが可能になる。
【００３２】
また、上記の本発明において、該位置管理部は、該位置情報として、さらに、該端末の時系列ログを管理することができる。
これにより、位置管理装置側において、端末の移動を時系列に記録することが可能になるとともに、顧客別通信部を経由して該記録を顧客に通知することが可能になる。また、通知先では、端末の移動を時系列に記録する必要がなくなる。
【００３３】
さらに、上記の本発明において、該顧客別通信部は、位置情報要求に基づき該位置情報を該顧客のみに通知することができる。
すなわち、顧客別通信部は、位置情報要求が有ったとき、該端末が属する顧客に位置情報を応答することが可能である。なお、顧客別通信部は、位置情報要求が無い場合も自律的に該端末が属する顧客に位置情報を通知することも可能である。
【００３４】
また、上記の課題を解決するため、本発明に係る個別業務処理装置は、端末が属する顧客別に設けられた個別業務処理装置であって、自装置が管理する該顧客の端末の位置情報を所定の通信アプリケーションに基づき入力する共通インタフェース部と、該共通インタフェース部を経由して該位置情報を受信し、この位置情報に基づき、該顧客固有の処理を行う個別アプリケーション処理部とを備えたことを特徴とする。
【００３５】
図１（２）において、本発明の個別業務処理装置３１は、端末が属する顧客別（顧客別移動端末群２０毎）に設けられる。
すなわち、同図（１）に示した各顧客業務処理部３１ｚ＿１〜３１ｚ＿３を、それぞれ位置管理機能部１５ｚ＿１〜１５ｚ＿３から分離して、個別業務処理装置３１ａ〜３１ｃに配置し、各顧客に固有の処理（業務アプリケーション）を行う。
【００３６】
この個別業務処理装置の共通インタフェース部は、自分の個別業務処理装置（顧客）に属する端末の位置情報を所定の通信アプリケーションに従って入力する。この位置情報に基づいて個別アプリケーション処理部は、顧客固有の処理を行う。
【００３７】
これにより、全ての個別業務処理装置の個別アプリケーション処理部は、同一の通信アプリケーションで動作する共通インタフェース部を経由して、必要な位置情報を獲得することが可能になり、個別アプリケーション処理部の設計コストを削減することが可能になる。
【００３８】
すなわち、各顧客や業種によって異なる業務処理は、位置情報を入力する通信アプリケーションを共通化することにより、低コストで多様な機能を実現することが可能となる。
また、上記の本発明において、該共通インタフェース部が、該個別アプリケーション処理部の位置情報要求に基づき、該位置情報を入力することができる。
【００３９】
また、上記の本発明において、該共通インタフェース部が、該位置情報を現在位置情報更新機能部で獲得することができる。
また、上記の本発明において、該位置情報には、地図情報が含まれ、該共通インタフェース部は、該位置情報を該個別アプリケーション処理部に与える地図表示機能部をさらに備えることができる。
【００４０】
また、上記の本発明において、該位置情報には、該端末の識別子及び時刻情報が含ませることができる。
さらに、上記の本発明において、該位置情報には、該端末の識別子、時刻情報、及び属性の少なくとも１つを含ませることができる。これにより、例えば、端末の属性を必要とする個別アプリケーションに対応することが可能になる。
【００４１】
また、上記の課題を解決するため、本発明に係る位置管理業務処理方法は、各端末の位置情報を収集する第１のステップと、該端末が属する顧客別に該位置情報を管理する第２のステップと、該端末の位置情報を該端末が属する顧客のみに通知する第３のステップと、該通知で、自分が管理する該顧客の端末のみの位置情報を入力する第４のステップと、該第４のステップで獲得した該位置情報に基づき、該顧客固有の処理を行う第５のステップとを有することを特徴としている。
【００４２】
また、上記の本発明において、該位置情報は、該端末の識別子、該端末の位置、時刻情報、地図情報、及び端末の属性の中の少なくとも１つを含むことができる。
さらに、上記の本発明において、該第２のステップと該第３のステップとの間に、該位置情報を要求する第６のステップを有することができる。
【００４３】
さらに、上記の課題を解決するため、本発明に係る位置管理業務処理システムは、各端末の位置情報を収集する端末通信部、該端末が属する顧客別に該位置情報を管理する位置管理部、及び該端末の位置情報を該端末が属する顧客のみに通知する顧客別通信部を備えた位置管理装置と、自分が管理する該顧客の端末の該位置情報を入力する共通インタフェース部、及び該共通インタフェース部を経由して該位置情報を受信し、この位置情報に基づき、該顧客固有の処理を行う個別アプリケーション処理部を備え、該端末が属する顧客別に設けられた個別業務処理装置とを備えたことを特徴としている。
【００４４】
また、上記の本発明において、該位置情報は、該端末の識別子、該端末の位置、時刻情報、地図情報、及び端末の属性の中の少なくとも１つを含むことができる。
さらに、上記の本発明において、該位置管理装置は、該個別業務処理装置からの位置情報要求に応じて該通知を行うことができる。
【００４５】
【発明の実施の形態】
図２は、図１（２）に示した位置管理業務処理システム１００の実施例を示している。この位置管理業務処理システム１００は、顧客別移動端末群２０ａ〜２０ｃ（以下、符号２０で総称することがある。）、位置管理装置１０、及び顧客事務所３０ａ〜３０ｃにそれぞれ設置された各顧客の業務に対応した個別業務処理装置３１ａ〜３１ｃで構成されている。
【００４６】
顧客別移動端末群２０ａ〜２０ｃは、それぞれ、ＧＰＳ移動端末２１ａ＿１〜２１ａ＿ｉ、…、及びＧＰＳ移動端末２１ｃ＿１〜２１ｃ＿ｋ（以下、符号２１で総称することがある。）で構成されている。位置管理装置１０は、位置管理部１５、各顧客に対応した顧客位置情報ファイル１８ａ〜１８ｃ、及び地図情報ファイル１１を備えている。各個別業務処理装置３１は、それぞれ、顧客に固有の個別データベース３４ａ〜３４ｃ（以下、符号３４で総称することがある。）を備えている。
【００４７】
動作において、顧客事務所３０ａ〜３０ｃは、ＩＤＣ等に設置された位置管理装置１０と契約し各携帯電話の位置管理サービス提供を受ける。位置管理装置１０はＧＩＳにより現在位置を地図上に表示するとともに、位置情報を時系列に蓄積する。
顧客事務所３０ａ〜３０ｃは、パソコン等の顧客固有の個別業務処理を行う個別業務処理装置３１を設置し、この個別業務処理装置３１をインターネット５０又は専用回線５１を経由して位置管理装置１０に接続する。これにより、顧客事務所３０ａ〜３０ｃは、位置管理装置１０から顧客固有の位置情報等を獲得できる。
【００４８】
さらに、顧客事務所３０の個別業務処理装置３１には、専用の業務アプリケーションがインストールされる。この業務アプケーションは顧客や業種により異なってよいが、業務アプリケーションと位置管理装置１０の接続インタフェースは統一する。業務アプリケーションは、位置管理装置１０から表示や現在位置／過去の位置ログ等を獲得し、固有な業務を実現する。
【００４９】
図３は、本発明の位置管理装置１０の実施例をより詳細に示しており、この実施例では、地図情報ファイル１１、ＧＩＳ（地理情報システム：Ｇｅｏｇｒａｐｈｉｃ  Ｉｎｆｏｒｍａｔｉｏｎ  Ｓｙｓｔｅｍ）部１２、顧客別通信部１３、ＧＰＳ移動端末通信部１４、位置管理部１５、及び顧客別データベース１６ａ〜１６ｃ（以下、符号１６で総称することがある。）を備えている。
【００５０】
顧客別データベース１６は、それぞれ、顧客情報ファイル１７ａ〜１７ｃ、顧客位置情報ファイル１８ａ〜１８ｃを含んでいる。顧客別通信部１３は、個別業務処理装置３１ａ〜３１ｃに接続され、ＧＰＳ移動端末通信部１４は、インターネット等を経由してＧＰＳ移動端末２１ａ＿１，２１ａ＿２，…，２１ｃ＿ｋ（図２参照）に接続されている。
【００５１】
位置管理装置１０の機能は、大きくわけ２つに分類され、第１の機能は、ＧＰＳ移動端末２１からの位置情報９１を受信し、顧客位置情報ファイル１８に書き込むＧＰＳ移動端末位置情報管理機能であり、第２の機能は、顧客別の個別業務処理装置３１からの要求で各種処理を行うものあり、この機能は、後述する個別業務処理装置３１の共通インタフェース部４０の動作説明時に述べる。
【００５２】
図４は、図２に示した本発明の個別業務処理装置３１をより詳細に示しており、この個別業務処理装置３１は、個別アプリケーション処理部３２、表示部３３、顧客情報及び位置情報等を含む個別データベース３４、及び共通インタフェース部４０を備えている。共通インタフェース部４０は、ネットワーク機能部４１、現在位置情報更新機能部４２、地図表示機能部４３、位置履歴獲得機能部４４、属性情報獲得機能部４５、及び直近順端末検索機能部４６を備えている。
【００５３】
個別アプリケーション処理部３２は、後述する（１）現在位置情報更新機能、（２）地図表示機能、（３）位置履歴獲得機能、（４）属性情報獲得機能、及び（５）直近順端末検索機能を必要とするが、これらの機能は、全個別業務処理装置３１ａ〜３１ｃにおける共通インタフェース部４０の現在位置情報更新機能部４２、地図表示機能部４３、位置履歴獲得機能部４４、属性情報獲得機能部４５、及び直近順端末検索機能部４６で実施する。
【００５４】
なお、図示されてはいないが、共通インタフェース部４０には、初期化処理機能（ログオン）を有している。この機能は、位置管理装置１０との接続をグループ化するために、ログオンを行う処理である。一般的なＷＥＢサイトでも実施しているような個人／企業認証の仕組みを想定している。
【００５５】
例えば、ＩＤ／パスワードによる接続を行うことで、対応するＩＤに関する情報のみを提供することができる。
すなわち、個別アプリケーション処理部３２が、ネットワーク機能部４１の初期接続機能を利用し接続する。ネットワーク機能部４１の接続機能には、通信接続機能、データ送受信機能、及び通信切断機能がある。通信接続機能は、位置管理装置１０との間の通信接続と認証（ＩＤ／パスワード等）を行い、データ送受信機能は、現在位置情報更新機能部４２、地図表示機能部４３、位置履歴獲得機能部４４、属性情報獲得機能部４５、及び直近順端末検索機能部４６からの依頼や位置管理装置１０からのデータを機能部４２〜４６に通知し、通信切断機能は、位置管理装置１０との接続を切断する。
【００５６】
図５は、本発明における現在位置情報更新動作手順例を示している。この動作手順例を以下に説明する。
ステップＳ１０：個別業務処理装置３１において、個別アプリケーション処理部３２（図４参照）は、位置情報更新（獲得）を行うＧＰＳ移動端末２１の識別子（ＩＤ）を現在位置情報更新機能部４２に与える。なお、ＧＰＳ移動端末２１は、複数指定することが可能である。
【００５７】
ステップＳ１１：現在位置情報更新機能部４２は、位置情報更新要求６１を作成し、ネットワーク機能部４１を経由して位置管理装置１０に送出する。位置情報更新要求６１は、「依頼種別」＝“１（位置更新）”、「依頼端末数」＝“ｎ”、「端末識別子」＝“ＩＤ１”，…，「端末識別子」＝“ＩＤｎ”で構成されている。
【００５８】
ステップＳ１２：位置管理装置１０において（図２参照）、位置管理部１５は、顧客別通信部１３を経由して、位置情報更新要求６１を受信し、要求されたパラメータに基づき位置情報更新応答７１を作成し、顧客別通信部１３を経由して要求元の個別業務処理装置３１に返送する。
【００５９】
位置情報更新応答７１は、「依頼種別」＝“１（位置更新）”、「依頼端末数」＝“ｎ”、端末識別子＝“ＩＤ１”、端末ＩＤ１の時刻＝（ＨＨ，ＭＭ）、端末ＩＤ１の位置情報＝（Ｘ１，Ｙ１（例えば、緯度，経度））、…、端末識別子＝“ＩＤｎ”、端末ＩＤｎの時刻＝（ＨＨ，ＭＭ）、端末ＩＤｎの位置情報＝（Ｘｎ，Ｙｎ）で構成されている。
【００６０】
ステップＳ１３：現在位置情報更新機能部４２は、ネットワーク機能部４１を経由して受信した位置情報更新応答７１を個別アプリケーション処理部３２に与える。
ステップＳ１４：個別アプリケーション処理部３２は、ＧＰＳ移動端末２１の位置情報を新規獲得又は更新する。
【００６１】
これにより、個別アプリケーション処理部３２は、位置管理装置１０に蓄積されている最新の位置情報を獲得し、位置座標に関する業務処理（加工、蓄積等）を実行することが可能になる。
なお、この例は、個別業務処理装置３１が、位置情報を要求する場合を述べたがが、位置管理装置１０が、自動的に位置が変わる都度個別業務処理装置３１に通知するようにしてもよい。
【００６２】
図６は、本発明における地図表示動作手順例を示している。この動作手順例を以下に説明する。
ステップＳ２０：個別業務処理装置３１において、個別アプリケーション処理部３２（図４参照）は、表示する地図位置座標（緯度，経度）、地図の縮尺、依頼範囲（Ｘ，Ｙ）、及び地図表示を行うＧＰＳ移動端末の識別子を地図表示機能部４３に与える。なお、ＧＰＳ移動端末の識別子は、複数指定することが可能である。
【００６３】
ステップＳ２１：地図表示機能部４３は、地図表示要求６２を作成し、ネットワーク機能部４１を経由して位置管理装置１０に送出する。地図表示要求６２は、「依頼種別」＝“２（地図表示）”、「位置座標」＝（経度，緯度）、「縮尺」＝“１／５０００”、「依頼範囲」＝（Ｘ，Ｙ）、「依頼端末数」＝“ｎ”、「端末識別子」＝“ＩＤ１”，…，及び「端末識別子」＝“ＩＤｎ”で構成されている。
【００６４】
ステップＳ２２：位置管理装置１０において、位置管理部１５は、顧客別通信部１３を経由して、地図表示要求６２を受信し、要求されたパラメータに基づき地図表示応答７２を作成し、顧客別通信部１３を経由して要求元に返送する。
地図表示応答７２は、「依頼種別」＝“２（地図表示）”、及び「編集済み地図データ」で構成されている。
【００６５】
ステップＳ２３：地図表示機能部４３は、ネットワーク機能部４１を経由して受信した地図表示応答７２を個別アプリケーション処理部３２に与える。
ステップＳ２４，Ｓ２５：個別アプリケーション処理部３２は、地図表示応答７２に含まれる地図データを表示部３３に与え、この表示部３３は、地図データを表示する。
【００６６】
これにより、個別業務処理装置３１において、地図データの初期表示及び定期的な更新表示が可能になる。
図７は、本発明における位置履歴獲得動作手順例を示している。この動作手順例を以下に説明する。
【００６７】
ステップＳ３０：個別業務処理装置３１において、個別アプリケーション処理部３２は、履歴を必要とするＧＰＳ移動端末の識別子を位置履歴獲得機能部４４に与える。なお、ＧＰＳ移動端末の識別子は、複数指定することが可能である。
ステップＳ３１：位置履歴獲得機能部４４は、位置履歴要求６３を作成し、ネットワーク機能部４１を経由して位置管理装置１０に送出する。位置履歴要求６３は、「依頼種別」＝“３（位置履歴獲得）”、「依頼端末数」＝“ｎ”、「端末識別子」＝“ＩＤ１”，…，及び「端末識別子」＝“ＩＤｎ”で構成されている。
【００６８】
ステップＳ３２：位置管理装置１０において、位置管理部１５は、顧客別通信部１３を経由して位置履歴要求６３を受信し、要求されたパラメータに基づき位置履歴応答７３を作成し、顧客別通信部１３を経由して要求元に返送する。
位置履歴応答７３は、「依頼種別」＝“３（位置履歴獲得）”、「依頼端末数」＝“ｎ”、「端末ＩＤ１」、「端末ＩＤ１の履歴データ１（位置座標＋時刻の繰り返し）」、…、「端末ＩＤｎ」、及び「端末ＩＤｎの履歴データｎ」で構成されている。
【００６９】
ステップＳ３３：位置履歴獲得機能部４４は、ネットワーク機能部４１を経由して受信した位置履歴応答７３を個別アプリケーション処理部３２に与える。
ステップＳ３４，Ｓ３５：個別アプリケーション処理部３２は、位置履歴応答７３に含まれる各移動端末の履歴データを個別データベース３４に格納する。
【００７０】
これにより、個別アプリケーション処理部３２は、自分が管理する移動端末２１の位置履歴情報を必要とする業務処理を行うことが可能になる。
図８は、本発明における属性情報獲得動作手順例を示している。この動作手順例を以下に説明する。
【００７１】
ステップＳ４０：個別業務処理装置３１において、個別アプリケーション処理部３２（図４参照）は、属性情報を必要とするＧＰＳ移動端末の識別子を属性情報獲得機能部４５に与える。なお、ＧＰＳ移動端末の識別子は、複数指定することが可能である。
ステップＳ４１：属性情報獲得機能部４５は、属性情報要求６４を作成し、ネットワーク機能部４１を経由して位置管理装置１０に送出する。属性情報要求６４は、「依頼種別」＝“４（属性情報獲得）”、「依頼端末数」＝“ｎ”、「端末識別子」＝“ＩＤ１”，…，及び「端末識別子」＝“ＩＤｎ”で構成されている。
【００７２】
ステップＳ４２：位置管理装置１０において（図２参照）、位置管理部１５は、顧客別通信部１３を経由して、属性情報要求６４を受信し、要求されたパラメータに基づき属性情報を獲得する。そして、位置管理部１５は、属性情報応答７４を作成し、顧客別通信部１３を経由して要求元に返送する。
【００７３】
属性情報応答７４は、「依頼種別」＝“４（属性情報獲得）”、「依頼端末数」＝“ｎ”、「端末ＩＤ１」、「端末ＩＤ１の属性データ１」、…、「端末ＩＤｎ」、及び「端末ＩＤｎの属性データｎ」で構成されている。
ステップＳ４３：属性情報獲得機能部４５は、ネットワーク機能部４１を経由して受信した属性情報応答７４を個別アプリケーション処理部３２に与える。
【００７４】
ステップＳ４４，Ｓ４５：個別アプリケーション処理部３２は、属性情報応答７４に含まれる各移動端末の属性データを個別データベース３４に格納する。
なお、  図７に示した位置履歴獲得動作手順例において、位置履歴応答７３に履歴データとともに属性情報を格納することにより、位置履歴要求時に履歴情報とともに属性情報を返すことも考えられる。
【００７５】
図９は、本発明における直近順端末検索動作手順例を示している。この動作手順例を以下に説明する。
ステップＳ５０：個別業務処理装置３１において、個別アプリケーション処理部３２は、目標位置座標と応答端末数を直近順端末検索機能部４６に与える。
【００７６】
ステップＳ５１：直近順端末検索機能部４６は、直近順端末検索要求６５を作成し、ネットワーク機能部４１を経由して位置管理装置１０に送出する。直近順端末検索要求６５は、「依頼種別」＝“５（直近端末検索）”、「目標座標」＝（経度，緯度）、及び「応答端末数」＝“ｋ”で構成されている。
【００７７】
ステップＳ５２：位置管理装置１０において、位置管理部１５は、顧客別通信部１３を経由して、直近順端末検索要求６５を受信し、要求されたパラメータに基づき目標座標＝（経度，緯度）に近い順に移動端末を「応答端末数」＝“ｋ”個だけ検索する。そして、位置管理部１５は、直近順端末検索応答７５を作成し、顧客別通信部１３を経由して要求元に返送する。
【００７８】
直近順端末検索応答７５は、「依頼種別」＝“５（直近順端末検索）”、「応答端末数」＝“ｋ”、「直近端末識別子」＝“ＩＤ１”、…、「直近端末識別子」＝“ＩＤｋ”で構成されている。
ステップＳ５３：直近順端末検索機能部４６は、ネットワーク機能部４１を経由して受信した直近順端末検索応答７５を個別アプリケーション処理部３２に与える。
【００７９】
ステップＳ５４，Ｓ５５：個別アプリケーション処理部３２は、直近順端末検索応答７５に含まれる直近順端末を個別データベース３４に格納する。
なお、図５〜図９に示した動作手順では、個別業務処理装置３１が、それぞれ位置管理装置１０に対して、位置情報更新要求６１、地図表示要求６２、位置履歴要求６３、属性情報要求６４、及び直近順端末検索要求６５を与えることにより、その応答７１〜７５を、位置管理装置１０が個別業務処理装置３１に返送しているが、位置管理装置１０が、自律的に位置情報、地図表示情報、位置履歴情報、属性情報、又は直近順端末情報を個別業務処理装置３１に与えてもよい。
【００８０】
図１０は、本発明に係る位置管理装置１０におけるＧＰＳ移動端末２１の位置情報管理動作手順例を示している。同図には、ＧＰＳを搭載したＧＰＳ移動端末２１も示されている。位置情報管理動作手順例を以下に説明する。
ステップＳ６０：ＧＰＳ移動端末２１は、自分の位置情報，属性情報を含んだパラメータ信号９０を位置管理装置１０に送信する。このパラメータ信号９０は、「顧客コード」＝“Ａ”、「端末識別子」＝“ＩＤ１”、「時刻」＝“ＨＨ：ＭＭ”、「位置座標」＝（Ｘ，Ｙ）、及び「属性」＝“Ｚ”で構成されている。
【００８１】
ステップＳ６１：位置管理装置１０において、移動端末通信部１４は、受信したパラメータ信号９０を位置管理部１５に与える。
ステップＳ６２：位置管理部１５は、パラメータ信号９０から「顧客コード」及び「端末識別子」を獲得し、この「端末識別子」と一致する移動端末の識別子が、「顧客コード」に対応する顧客情報ファイル１７に有るか否かを照合し、有る場合、その「データ格納位置」を獲得する。
【００８２】
ステップＳ６３：位置管理部１５は、顧客位置情報ファイル１８の「データ格納位置」にある「最新格納位置」＝“ｍ”が指し示す位置に、パラメータ信号９０から獲得した「時刻」＝“ＨＨ：ＭＭ”、「位置座標」＝（Ｘ，Ｙ）、及び「属性」＝“Ｚ”を書き込む。
【００８３】
ステップＳ６４〜Ｓ６６：位置管理部１５は、最新格納位置ｍを１だけインクリメントした後、最新格納位置ｍが、格納最大数Ｌより大きい場合、最新格納位置ｍ＝１に設定する。これにより、移動端末２１の位置情報等がファイル１７，１８に書き込まれたことになる。
【００８４】
なお、図１０に示した移動端末位置情報管理動作手順例では、ＧＰＳ移動端末２１側から自律的にパラメータ信号９０を送信したが、位置管理装置１０が送信要求を移動端末２１に与え、これに応答して移動端末２１が、必要な情報を含むパラメータ信号９０を返すようにしてもよい。
【００８５】
また、ＧＰＳ移動端末２１と位置管理装置１０の間はキャリアの無線通信や専用回線による通信等が考えられるがここでは特に限定しない。
図１１は、図５に示した現在位置情報更新動作手順例における位置管理装置１０のステップＳ１２の動作手順をより詳細に示している。この動作手順を以下に説明する。
【００８６】
ステップＳ７０：図５のステップＳ１０，Ｓ１１と同様であり、個別業務処理装置３１は、顧客Ａの個別業務を実行するに必要な現在位置更新を依頼するための位置情報更新要求６１を位置管理装置１０に送る。
ステップＳ７１：位置管理装置１０において、位置管理部１５は、顧客別通信部１３を経由して位置情報更新要求６１を受信し、「端末識別子」＝“ＩＤ１”〜“ＩＤｎ”を獲得する。そして、位置管理部１５は、顧客Ａの顧客情報ファイル１７を参照して、「端末識別子」＝“ＩＤ１”と一致する端末識別子を検索し、検索した端末の「データ格納位置」を獲得する。なお、この動作例では、位置管理部１５は、位置情報更新要求６１を受信した顧客別通信部１３の入力ポートに基づき位置情報更新要求６１を送信した顧客Ａ（個別業務処理装置３１）を認識している。
【００８７】
ステップＳ７２：位置管理部１５は、顧客位置情報ファイル１８の「データ格納位置」に基づいて、「最新格納位置」＝“ｍ”を獲得し、さらにこの最新格納位置ｍに対応する「時刻」＝“ＨＨ：ＭＭ”、及び「位置座標」＝（Ｘ，Ｙ）を獲得する。
ステップＳ７３，Ｓ７４，Ｓ７１〜Ｓ７４：位置管理部１５は、「端末識別子」＝“ＩＤ２”〜“ＩＤｎ”について、ステップＳ７１〜Ｓ７４を繰り返し実行し、獲得した「時刻」及び「位置座標」に基づき、応答データを編集する。
【００８８】
ステップＳ７４，Ｓ７５：依頼された全移動端末に対する処理が終了した場合、位置管理部１５は、編集済みデータを位置情報更新応答７１（図５参照。）に含めて個別業務処理装置３１に返送する。
図１２は、図６に示した地図表示動作手順例における位置管理装置１０のステップＳ２２の動作手順をより詳細に示している。この動作手順を以下に説明する。
【００８９】
ステップＳ８０：図６のステップＳ２０，Ｓ２１と同様であり、個別業務処理装置３１は、顧客Ａの個別業務を実行するために必要な地図表示をするための地図表示要求６２を位置管理装置１０に送る。
これにより、個別業務処理装置３１は、所定の個別業務を実行することが可能になる。
【００９０】
ステップＳ８１：位置管理装置１０において、位置管理部１５は、顧客別通信部１３を経由して地図表示要求６２を受信し、「位置座標」＝（経度，緯度）、縮尺＝“１／５０００”、及び依頼範囲＝（Ｘ，Ｙ）をＧＩＳ部１２に渡し、地図データの作成を依頼する。なお、一般的なＧＩＳ部１２の動作説明は省略する。
【００９１】
ステップＳ８２：位置管理部１５は、まず、顧客位置情報ファイル１８の参照して、地図表示要求６２に含まれる「端末識別子」＝“ＩＤ１”の移動端末の「データ格納位置」を獲得する。
ステップＳ８３：位置管理部１５は、顧客位置情報ファイル１８を参照して、「データ格納位置」が示す位置にある「最新格納位置」＝“ｍ”を獲得し、この最新格納位置ｍにある最新の「時刻」＝“ＨＨ：ＭＭ”の「位置座標」＝（Ｘ，Ｙ）を獲得する。
【００９２】
ステップＳ８４，Ｓ８５，Ｓ８２〜Ｓ８５：位置管理部１５は、獲得した「位置座標」＝（Ｘ，Ｙ）をＧＩＳ部１２に与え、ステップＳ８１で作成済みの地図データ上に識別子ＩＤ１の移動端末を表示する。位置管理部１５は、同様に「端末識別子」＝“ＩＤ２”〜“ＩＤｎ”の移動端末を地図データ上に表示する。
【００９３】
ステップＳ８６：位置管理部１５は、編集済みの地図データを地図表示応答７２（図６参照。）に含めて個別業務処理装置３１に返送する。
図７に示した位置履歴獲得動作手順例における位置管理装置１０のステップＳ３２の詳細は、図１１に示した現在位置情報更新動作手順例と同様であり、依頼端末数だけの履歴情報を取り出すことが相違するだけである。
【００９４】
すなわち、個別業務処理装置３１からの位置履歴要求６３は、顧客別通信部１３を経由し位置管理部１５に通知され、位置管理部１５は、顧客位置情報ファイル１８から依頼された数の移動端末の位置座標及び時刻情報を獲得し、獲得した情報を位置履歴応答７３に含めて個別業務処理装置３１に返送する。
【００９５】
図８に示した属性情報獲得動作手順例における位置管理装置１０のステップＳ４２の詳細は、図１１に示した現在位置情報更新動作手順例と同様であり、単に位置情報の代わりに属性情報を取り出すことが相違するだけである。
すなわち、個別業務処理装置３１からの属性情報要求６４は、顧客別通信部１３を経由し位置管理部１５に通知され、位置管理部１５は、顧客位置情報ファイル１８から依頼された移動端末の属性情報を獲得し、この属性情報を属性情報応答７４に含めて個別業務処理装置３１に返送する。
【００９６】
これにより、個別業務処理装置３１は、所定の個別業務を実行することが可能になる。
図１３は、図９に示した直近順端末検索動作手順例における位置管理装置１０のステップＳ５２の動作手順をより詳細に示している。この動作手順を以下に説明する。
【００９７】
ステップＳ９０：図９のステップＳ５０，Ｓ５１と同様であり、個別業務処理装置３１は、顧客Ａの個別業務を実行するために必要な直近順端末を要求するための直近順端末検索要求６５を位置管理装置１０に送る。
ステップＳ９１，Ｓ９２：位置管理装置１０において、位置管理部１５は、顧客別通信部１３を経由して直近順端末検索要求６５を受信し、「目標座標」＝（経度，緯度）及び応答端末数ｋを獲得する。
【００９８】
ステップＳ９２：そして、位置管理部１５は、顧客位置情報ファイル１８を参照して、全端末の位置情報を獲得し、この位置情報と「目標座標」との絶対距離を算出する。
なお、直近順移動端末検索の方法としては、（１）単純に目標地点と移動端末との直線による絶対距離で比較する方法、（２）ＧＩＳ機能を利用し一度全ＧＩＳ移動端末を地図上に展開し、目標地点と移動端末との間のルート検索により最短距離を計算する方法、（３）ＧＩＳを利用するとともに、道路の太さ等から平均速度を考慮し最短時間の移動端末を検索する方法等がある。
【００９９】
この例では、本発明が、直近順移動端末の検索方法に関するものではないので、最も単純な直線による絶対距離による方法（１）で算出する。
ステップＳ９３，Ｓ９４：位置管理部１５は、算出した絶対距離を近い順に応答端末数ｋだけ並べ、この順で対応する移動端末の識別子を直近順端末検索応答７５（図９参照。）に含めて個別業務処理装置３１に返送する。
【０１００】
これにより、個別業務処理装置３１は、所定の個別業務を実行することが可能になる。
（付記１）
各端末の位置情報を収集する端末通信部と、
該端末が属する顧客別に該位置情報を管理する位置管理部と、
該端末の位置情報を該端末が属する顧客のみに通知する顧客別通信部と、
を備えたことを特徴とする位置管理装置。
（付記２）上記の付記１において、
該顧客別通信部は、共通の通信アプリケーションに従って各顧客に通知することを特徴とした位置管理装置。
（付記３）上記の付記１において、
地図情報を管理する地図情報管理部をさらに備え、
該位置管理部は、該位置情報及び地図情報に基づいて加工した位置情報を管理することを特徴とした位置管理装置。
（付記４）上記の付記１において、
地図情報を管理する地図情報管理部をさらに備え、
該顧客別通信部が、該顧客に該地図情報を通知することを特徴とした位置管理装置。
（付記５）上記の付記１において、
該位置情報には、該端末の識別子及び時刻情報が含まれていることを特徴とした位置管理装置。
（付記６）上記の付記１において、
該位置情報には、さらに該端末の属性情報が含まれていることを特徴とした位置管理装置。
（付記７）上記の付記５において、
該位置管理部が、該位置情報として、さらに、該端末の時系列ログを管理することを特徴とした位置管理装置。
（付記８）上記の付記１において、
該顧客別通信部が、位置情報要求に基づき該位置情報を該顧客のみに通知することを特徴とした位置管理装置。
（付記９）
端末が属する顧客別に設けられた個別業務処理装置であって、
自装置が管理する該顧客の端末の位置情報を所定の通信アプリケーションに基づき入力する共通インタフェース部と、
該共通インタフェース部を経由して該位置情報を受信し、この位置情報に基づき、該顧客固有の処理を行う個別アプリケーション処理部と、
を備えたことを特徴とする個別業務処理装置。
（付記１０）上記の付記９において、
該共通インタフェース部が、該個別アプリケーション処理部の位置情報要求に基づき、該位置情報を入力することを特徴とした個別業務処理装置。
（付記１１）上記の付記９において、
該共通インタフェース部が、該位置情報を現在位置情報更新機能部で獲得することを特徴とした個別業務処理装置。
（付記１２）上記の付記９において、
該位置情報には、地図情報が含まれ、
該共通インタフェース部が、該位置情報を該個別アプリケーション処理部に与える地図表示機能部をさらに備えたことを特徴とする個別業務処理装置。
（付記１３）上記の付記９において、
該位置情報には、該端末の識別子及び時刻情報が含まれていることを特徴とした個別業務処理装置。
（付記１４）上記の付記９において、
該位置情報には、該端末の識別子、時刻情報、及び属性の少なくとも１つが含まれていることを特徴とした個別業務処理装置。
（付記１５）
各端末の位置情報を収集する第１のステップと、
該端末が属する顧客別に該位置情報を管理する第２のステップと、
該端末の位置情報を該端末が属する顧客のみに通知する第３のステップと、
該通知で、自分が管理する該顧客の端末のみの位置情報を入力する第４のステップと、
該第４のステップで獲得した該位置情報に基づき、該顧客固有の処理を行う第５のステップと、
を有することを特徴とした位置管理業務処理方法。
（付記１６）上記の付記１５において、
該位置情報が、該端末の識別子、該端末の位置、時刻情報、地図情報、及び端末の属性の中の少なくとも１つを含むことを特徴とした位置管理業務処理方法。
（付記１７）上記の付記１５において、
該第２のステップと該第３のステップとの間に、該位置情報を要求する第６のステップを有することを特徴とした位置管理業務処理方法。
（付記１８）
各端末の位置情報を収集する端末通信部、該端末が属する顧客別に該位置情報を管理する位置管理部、及び該端末の位置情報を該端末が属する顧客のみに通知する顧客別通信部を備えた位置管理装置と、
自分が管理する該顧客の端末の該位置情報を入力する共通インタフェース部、及び該共通インタフェース部を経由して該位置情報を受信し、この位置情報に基づき、該顧客固有の処理を行う個別アプリケーション処理部を備え、該端末が属する顧客別に設けられた個別業務処理装置と、
を備えたことを特徴とする位置管理業務処理システム。
（付記１９）上記の付記１８において、
該位置情報が、該端末の識別子、該端末の位置、時刻情報、地図情報、及び端末の属性の中の少なくとも１つを含むことを特徴とした位置管理業務処理システム。
（付記２０）上記の付記１８において、
該位置管理装置が、該個別業務処理装置からの位置情報要求に応じて該通知を行うことを特徴とした位置管理業務処理システム。
【０１０１】
【発明の効果】
以上説明したように、本発明に係る位置管理装置、個別業務処理装置、位置管理業務処理方法、及び位置管理業務処理システムによれば、収集した移動端末の位置情報を該端末が属する顧客別に管理し、該端末の位置情報を該端末が属する顧客のみに、共通の通信アプリケーションで通知し、この通知で入力した、自分が管理する該顧客の移動端末のみの位置情報に基づき、該顧客固有の処理を行うように構成したので、各顧客の固有の業務処理をセキュリティの問題が無く、コストを安く実現することが可能になる。
【０１０２】
すなわち、次の効果（１）〜（４）が発生する。
（１）位置管理機能及び地図コンテンツを集約することによりコストダウン可能になる。
（２）位置管理センタの設置に関わる煩雑な工事／手続き／スペース確保が不要になる。
【０１０３】
（３）各顧客事務所における個別業務処理装置に、位置管理装置と標準的に接続される通信アプリケーション（インターフェース）を提供することで容易に位置管理機能をローカルで実現することが可能になる。
（４）顧客固有の情報を事務所のローカル端末で管理することが可能になり、セキュリティの問題が無くなる。
【図面の簡単な説明】
【図１】本発明に係る位置管理業務処理方法及び位置管理業務処理システムの原理を示したブロック図である。
【図２】本発明に係る位置管理業務処理システムの実施例を示したブロック図である。
【図３】本発明に係る位置管理装置の実施例を示したブロック図である。
【図４】本発明に係る個別業務処理装置の実施例を示したブロック図である。
【図５】本発明に係る位置管理業務処理システムにおける現在位置情報更新動作手順例を示した図である。
【図６】本発明に係る位置管理業務処理システムにおける地図表示動作手順例を示した図である。
【図７】本発明に係る位置管理業務処理システムにおける位置履歴獲得動作手順例を示した図である。
【図８】本発明に係る位置管理業務処理システムにおける属性情報獲得動作手順例を示した図である。
【図９】本発明に係る位置管理業務処理システムにおける直近順端末検索動作手順例を示した図である。
【図１０】本発明に係る位置管理装置及び移動端末におけるＧＰＳ移動端末位置管理動作手順例を示した図である。
【図１１】本発明に係る位置管理装置における現在位置情報更新動作手順例を示した図である。
【図１２】本発明に係る位置管理装置における地図表示動作手順例を示した図である。
【図１３】本発明に係る位置管理装置における直近順端末検索動作手順例を示した図である。
【図１４】従来の位置管理業務処理システムの構成を示したブロック図である。
【図１５】従来の位置管理業務処理システムのより詳細な構成を示したブロック図である。
【符号の説明】
１００，１００ｚ  位置管理業務処理システム      ２００＿１〜２００＿３  位置管理センタ
１０  位置管理装置                                            １０ｚ  位置管理・業務処理機能部
１１，１１ｚ  地図情報ファイル                          １２  ＧＩＳ部
１３  顧客別通信部                                            １４  移動端末通信部
１５  位置管理部                                                １５ｚ＿１〜１５ｚ＿３  位置管理機能部
１６，１６ａ〜１６ｃ  顧客別データベース            １７，１７ａ〜１７ｃ  顧客情報ファイル
１８，１８ａ〜１８ｃ  顧客位置情報ファイル        １９ｚ  位置情報ファイル
２０，２０ａ〜２０ｃ，２０ｚ＿１〜２０ｚ＿３  顧客別移動端末群
２１，２１ａ＿１〜２１ａ＿ｉ，…，２１ｃ＿１〜２１ｃ＿ｋ  ＧＰＳ移動端末、携帯端末
２１ｚ＿１〜２１ｚ＿ｉ  ＧＰＳ移動端末、携帯端末      ３０，３０ａ〜３０ｃ，３０ｚ  顧客事務所
３１，３１ａ〜３１ｃ  個別業務処理装置
３１ｚ，３１ｚ＿１〜３１ｚ＿３  顧客業務処理部          ３２  個別アプリケーション処理部
３３  表示部                                                        ３４，３４ａ〜３４ｃ  個別データベース
３５  端末                                                            ４０  共通インタフェース部
４１  ネットワーク機能部                                ４２  現在位置情報更新機能部
４３  地図表示機能部                                        ４４  位置履歴獲得機能部
４５  属性情報獲得機能部                                ４６  直近順端末検索機能部
５０  インターネット                                        ５１  専用回線
６１  位置情報更新要求                                    ６２  地図表示要求
６３  位置履歴要求                                            ６４  属性情報要求
６５  直近順端末検索要求                                ７１  位置情報更新応答
７２  地図表示応答                                            ７３  位置履歴応答
７４  属性情報応答                                            ７５  直近順端末検索応答
９０  パラメータ信号                                        ９１，９１ｚ＿１〜９１ｚ＿ｉ  位置情報
９２，９２ｚ＿１〜９２ｚ＿ｉ  属性情報                        ９３  業務処理結果
図中、同一符号は同一又は相当部分を示す。
【図１】
2004326182.tif 000003
【図２】
2004326182.tif 000004
【図３】
2004326182.tif 000005
【図４】
2004326182.tif 000006
【図５】
2004326182.tif 000007
【図６】
2004326182.tif 000008
【図７】
2004326182.tif 000009
【図８】
2004326182.tif 000010
【図９】
2004326182.tif 000011
【図１０】
2004326182.tif 000012
【図１１】
2004326182.tif 000013
【図１２】
2004326182.tif 000014
【図１３】
2004326182.tif 000015
【図１４】
2004326182.tif 000016
【図１５】
2004326182.tif 000017